(57)【要約】【課題】蔓の巻き付きを効果的に防止できる回転刃であって、製造が容易な回転刃を提供する。【解決手段】回転刃１は、円板状の台板２の外周縁に配列された複数個の鋸刃３と、回転刃１の回転中心にあって駆動軸に係合される軸孔４を備えて、刈払機に取り付けて使用される。そして、回転刃１は鋸刃３の歯底から切り開けられて、軸孔４に向かって凹入する溝部５が、少なくとも１箇所に形成されていることを特徴とする。【選択図】図１
0003230448.tif 000002
【実用新案登録請求の範囲】
【請求項１】
円板状の台板の外周縁に配列された複数個の鋸刃と、回転刃の回転中心にあって駆動軸に係合される軸孔を備えて、刈払機に取り付けて使用される回転刃において、
前記鋸刃の歯底から切り開けられて、前記軸孔に向かって凹入する溝部が、少なくとも１箇所に形成されていることを特徴とする、
回転刃。
【請求項２】
複数個の前記溝部を備えることを特徴とする、
請求項１に記載の回転刃。
【請求項３】
複数個の前記溝部が、前記回転中心に対して放射状に等間隔に配置されていることを特徴とする、
請求項２記載の回転刃。
【請求項４】
４個の前記溝部を備えて、各溝部と前記回転中心を結ぶ半径が中心角において９０°ピッチで配置されていることを特徴とする、
請求項３記載の回転刃。
【請求項５】
前記台板の前記溝部を挟んで前記回転刃の回転方向の後方に位置する縁辺に切り刃が形成されていることを特徴とする、
請求項１から請求項４までのいずれか一項に記載の回転刃。
【請求項６】
前記台板は少なくとも一部において、面外方向に曲げられていて、
前記回転刃を刈払機に取り付けて使用する場合に、前記台板の前記溝部を挟んで前記回転刃の回転方向において前方に位置する縁辺が、前記台板の前記回転刃の回転方向において後方に位置する縁辺よりも地面から遠い位置にあることを特徴とする、
請求項１から請求項５までのいずれか一項に記載の回転刃。
【考案の詳細な説明】
【技術分野】
【０００１】
本考案は、刈払機に取り付けて使用される回転刃に関する。
【背景技術】
【０００２】
刈払機は作業者が手持ちして、雑草等を刈り払う器具である。例えば、特許文献１等に示すように、一般的な刈払機は、操作杆の両端にエンジンと伝動ユニットを備えて構成される。伝動ユニットには回転刃が取り付けられ、回転刃はエンジンによって回転駆動される。作業者は操作杆を操作して、回転刃を雑草等に当てて、当該雑草等を刈り払う。
【０００３】
例えば、特許文献２等に示すように、一般的な回転刃は、円板状の鋼製の台板の外周縁に配列された複数個の鋸刃と、回転中心にあって伝動ユニットの駆動軸に係合される軸孔を備えている。要するに、回転刃は一種の回転鋸であって、回転する鋸刃が雑草等の葉あるいは茎に当たると、当該葉あるいは茎は切断される。
【０００４】
刈払機によれば、草刈鎌を使用する場合に比べて、はるかに能率良く、雑草等を除去することができる。また、刈払機は作業者によって運搬されるので、車両が進入できない狭隘地あるいは傾斜地であっても、雑草等を除去することができる。
【０００５】
しかしながら、雑草等の中には切断が容易ではないものがある。特に、ヤブガラシやクズの蔓は丈夫なので、しばしば切断に失敗することがある。切断に失敗した蔓は鋸刃に引っ掛かって、回転刃ユニットの駆動軸に巻き付くことがある。また、クズの蔓は長く、長いものは１０ｍ以上になるので、蔓が回転刃ユニットの駆動軸に巻き付くと大きな負荷がエンジンにかかる。その結果、エンジンが停止する。また駆動軸に巻き付いた蔓は、回転刃と回転刃ユニットの間の狭い隙間に食い込むので除去が容易ではない。
【０００６】
そこで、蔓の駆動軸への巻き付きを抑制することを目的とする発明が既に、多数公開されている。例えば特許文献２に記載の回転刃には、台板の上面に円筒状の巻き付き防止部材が固着されていて、回転刃ユニットの駆動軸を巻き付き防止部材が取り囲んでいる。特許文献３に記載の回転刃には、台板の上面の鋸刃に近い部分に回転刃の回転方向に向かって前方を低く、後方を高くした傾斜面を備える排除体が止着されている。
【先行技術文献】
【特許文献】
【０００７】
【特許文献１】登録実用新案第３２０８０１４号公報
【特許文献２】特開２０１５−２２６５２９号公報
【特許文献３】特開平９−３２２６２７号公報
【考案の概要】
【考案が解決しようとする課題】
【０００８】
特許文献２に記載の回転刃は駆動軸の外周を取り囲む巻き付き防止部材を備えるので、蔓が駆動軸に巻き付くことがない。しかしながら、蔓が刈払機に絡みつくことに変わりはないので、蔓が巻き付き防止部材に巻き付く度に刈払機を停止して、蔓を除去する必要がある。
【０００９】
特許文献３に記載の回転刃は台板に後付けされた排除体で蔓を切断するので、蔓が駆動軸に巻き付くことがない。しかしながら、台板に後付けされた排除体は、台板から外れやすいという問題がある。回転刃の回転中に排除体が台板から外れると遠心力で弾かれて、予想外の場所に飛散する恐れがある。
【００１０】
また、特許文献２及び特許文献３に記載された回転刃は、いずれも、台板に別部品を後付けするので、製造に手間が掛かり、製造コストが嵩むという問題がある。
【００１１】
本考案は、上記の問題に鑑みてなされたものであり、蔓の巻き付きを効果的に防止できる回転刃であって、製造が容易な回転刃を提供することを目的とする。
【課題を解決するための手段】
【００１２】
上記目的を達成するために、本考案に係る回転刃は、円板状の台板の外周縁に配列された複数個の鋸刃と、回転刃の回転中心にあって駆動軸に係合される軸孔を備えて、刈払機に取り付けて使用される回転刃において、鋸刃の歯底から切り開けられて、軸孔に向かって凹入する溝部が、少なくとも１箇所に形成されているものである。
【００１３】
回転刃は、複数個の溝部を備えても良い。複数個の溝部が、回転中心に対して放射状に等間隔に配置されても良い。回転刃は、４個の溝部を備えて、各溝部と回転中心を結ぶ半径が中心角において９０°ピッチで配置されるものであっても良い。
【００１４】
回転刃には、台板の溝部を挟んで回転刃の回転方向の後方に位置する縁辺に切り刃が形成されていても良い。台板は少なくとも一部において、面外方向に曲げられていて、回転刃を刈払機に取り付けて使用する場合に、台板の溝部を挟んで回転刃の回転方向において前方に位置する縁辺が、台板の回転刃の回転方向において後方に位置する縁辺よりも地面から遠い位置にあっても良い。
【考案の効果】
【００１５】
本考案によれば、回転刃に鋸刃の歯底から切り開けられて、回転刃の回転中心に向かって凹入する溝部を備えるので、鋸刃が切り損ねた蔓は溝部に導かれて、そこで切断される。仮に蔓が溝部で切断されなかったとしても、蔓は溝部を越えて駆動軸に近付くことがない。そのため、蔓の駆動軸への巻き付きが効果的に防止される。
【００１６】
また本考案によれば、溝部は台板の一部を切り開けることによって形成されるので、本考案に係る回転刃を製造する際には、別部品を台板に後付けする必要がない。そのため、本考案に係る回転刃は製造に掛かる手間が小さいので、安価に製造できる。
【図面の簡単な説明】
【００１７】
【図１】本考案の実施形態に係る回転刃を上から見た平面図である。
【図２】図１に記載の回転刃を図１においてＡＡ’線で示す平面で切断して示す断面図である。
【図３】図１に記載の回転刃を上から見た平面図であって、回転刃の作用を時系列に沿って示す図である。
【図４】図３（Ｃ）に記載の回転刃を図３（Ｃ）においてＢＢ’線で示す平面で切断して示す断面図である。
【図５】図１に記載の回転刃を上から見た平面図であって、回転刃の別の作用を時系列に沿って示す図である。
【図６】図５（Ｂ）に記載の回転刃を図５（Ｂ）においてＣＣ’線で示す平面で切断して示す断面図である。
【考案を実施するための形態】
【００１８】
図１は、本考案の実施形態に係る回転刃１を上方から見た平面図である。図１に示すように、回転刃１は、円板状の鋼製の台板２に多数の鋸刃３を備えて構成されている。鋸刃３は台板２の外周縁に等間隔に配列されている。台板２の中心には、図示しない刈払機の駆動軸に係合される軸孔４を備えている。回転刃１は刈払機によって駆動されて、図１において矢印で示す方向に回転する。つまり、回転刃１回転中心Ｏを中心にして反時計回り方向に回転して、図示しない雑草等を切断する。
【００１９】
図１に示すように、回転刃１には、４箇所において、溝部５が形成されている。溝部５は鋸刃３の歯底から切り開けられて、回転刃１の回転中心Ｏに向かって凹入している。また、溝部５は回転刃１の回転中心Ｏに対して放射状に等間隔に配置されている。本実施形態においては、溝部５は、溝部５と回転刃１の回転中心Ｏと結ぶ半径が中心角において９０°ピッチで配列されるように配置されている。また、溝部５を挟んで回転刃１の回転方向の後方に位置する台板２の縁辺６には切り刃７が形成されている。
【００２０】
なお、本実施例においては、回転刃１の外径（直径）Ｄは２５５ｍｍである。この場合に、溝部５の回転刃１の外縁から測った凹入深さｄを約５０ｍｍにしている。また、溝部５の幅Ｗを約３ｍｍにしている。
【００２１】
図２は、図１に示した回転刃１を図１においてＡＡ’線で示す平面で切断して示す断面図である。図２に示すように、回転刃１の台板２は一部で面外方向に曲げられていて、溝部５を挟んで回転刃１の回転方向の後方に位置する台板２の縁辺６は、溝部５を挟んで回転刃１の回転方向の前方に位置する台板２の縁辺８の間に段差が形成されている。なお、回転刃１を刈払機に取り付けて使用する場合に、地面は図２において矢印で示す方向にある。そのため、回転刃１を刈払機に取り付けて使用する場合に、縁辺８は縁辺６よりも地面から遠い位置にある。本実施形態において、縁辺８と縁辺６の間の段差の高さＨを約５ｍｍにしている。また、切り刃７は、その先端が断面形において鋭角を成すように研削されている。
【００２２】
ここで、図３（Ａ）〜（Ｃ）と図４を参照して、回転刃１の作用を説明する。なお、図３（Ａ）〜（Ｃ）は、回転刃１を上から見た平面図であって、回転刃の作用を時系列に沿って示す図である。図４は、図３（Ｃ）に記載の回転刃１を図３（Ｃ）においてＢＢ’線で示す平面で切断して示す断面図である。
【００２３】
ここでは、図３（Ａ）に示すように、回転刃１の鋸刃３のひとつが蔓９を捉えたものの、蔓９を切断できなかった場合に、切断できなかった蔓９が回転刃１の上面に載った場合を想定する。この場合に、回転刃１が回転方向に回転すると、図３（Ｂ）に示すように、蔓９の先端は鋸刃３に引かれて図において左方向に移動する。同時に溝部５ａは、図において右方向に移動する。その結果、蔓９は溝部５ａの入り口に導かれる。回転刃１が更に回転方向に回転すると、図３（Ｃ）に示すように、蔓９は回転刃１の溝部５ａに捉えられる。蔓９が溝部５ａに捉えられると、蔓９の、図示しない駆動軸方向への移動は、溝部５ａによって止められる。その結果、蔓９が駆動軸に巻き付くことが防止される。また、蔓９が溝部５ａに捉えられると、図４に示すように、蔓９は回転刃１の上面から溝部５ａを通って、回転刃１の下方に垂れ下がるとともに、切り刃７に当接する。
【００２４】
そして、図３（Ｃ）と図４に示す状態において、図示しない刈払機を振り回して、回転刃１を図３（Ｃ）において矢印Ｐで示す方向に移動させると、蔓９は切り刃７によって切断される。回転刃１の上面に残った蔓９の残片は、遠心力によって弾かれて、回転刃１から取り除かれる。
【００２５】
次に、図５（Ａ），（Ｂ）と図６を参照して、回転刃１の別の作用を説明する。なお、図５（Ａ），（Ｂ）は、回転刃１を上から見た平面図であって、回転刃の別の作用を時系列に沿って示す図である。図６は、図５（Ｃ）に記載の回転刃１を図５（Ｂ）においてＣＣ’線で示す平面で切断して示す断面図である。
【００２６】
ここでは、図５（Ａ）に示すように、回転刃１の鋸刃３のひとつが蔓９を捉えたものの蔓９を切断できなかった場合に、切断できなかった蔓９が回転刃１の下面に接している場合を想定する。図２に示したように、溝部５を挟んで回転刃１の回転方向の前方に位置する台板２の縁辺８と回転方向の後方に位置する台板２の縁辺６の間には段差があって、縁辺８は縁辺６より高い位置にある。そのため、この場合に、回転刃１が回転方向に回転すると、図５（Ｂ）と図６に示すように、蔓９は溝部５ｂにおいて縁辺８と縁辺６の間の段差を通って、回転刃１の上面に移動する。回転刃１が更に回転方向に回転すると、先に図３（Ｂ），（Ｃ）と図４を引用して説明したプロセスと同様のプロセスを経て、蔓９は回転刃１の溝部５ｃに捉えられて、切り刃７によって切断される。
【００２７】
以上、説明したように、回転刃１は溝部５を備えるので、鋸刃３が蔓９を捉えたものの蔓９を切断できなかったとしても、蔓９が溝部５に捉えられるので、蔓９が駆動軸に巻き付くことがない。また、溝部５に捉えられた蔓９は、切り刃７によって切断される。このように、回転刃１によれば、そのため、蔓９の駆動軸への巻き付きが防止される。また、回転刃１は既存の回転刃に簡単な加工を加えるだけで製造できるので、安価に製造することができる。
【００２８】
なお、本願考案の技術的範囲は、上記の実施形態によっては、限定されない。本考案は、実用新案登録請求の範囲に記載の技術的思想の限りにおいて、自由に、応用変形あるいは改良して実施することができる。
【００２９】
上記の実施形態においては、回転刃１が４個の溝部５を備える例を示したが、回転刃１が備える溝部５は４個には限定されない。回転刃１は５個又は６個以上の溝部５を備えていても良い。回転刃１は３個又は２個の溝部５を備えるものであっても良い。回転刃１は溝部５を１個だけ備えるものであっても良い。
【００３０】
上記の実施形態においては、溝部５の寸法について、具体的な数値を例示したが、本願考案の技術的範囲は、例示された数値によっては限定されない。なお、溝部５の幅Ｗと縁辺８と縁辺６の間の段差の高さＨは、回転刃１の刈り取り対象である蔓９の断面の直径を基準に決定される。幅Ｗと高さＨは、蔓９の断面の直径に若干の余裕を加えたものであれば良い。溝部５の回転刃１の外縁から測った凹入深さｄは、溝部５に捉えられた蔓９が容易には外れないような寸法が必要とされる。凹入深さｄは回転刃１の外径（直径）Ｄの約２０％から１３％の範囲で選択すれば良好な結果が得られる。例えば、回転刃１の外径（直径）Ｄが２３０ｍｍである場合に凹入深さｄを３０ｍｍにしても良い。
【００３１】
上記に示した回転刃１の機械的構成、特に台板２と鋸刃３の形状は例示であって、本願考案の技術的範囲は、例示された機械的構成によっては限定されない。例えば、台板２は軽量化及び放熱促進のための穴が穿設されていても良い。鋸刃３の形状と個数は任意に選択できる。回転刃１を構成する素材も限定されない。
【符号の説明】
【００３２】
１  回転刃、２  台板、３  鋸刃、４  軸孔、５,５ａ，５ｂ、５ｃ  溝部、６，８  縁辺、７  切り刃、９  蔓
【図１】
0003230448.tif 000003
【図２】
0003230448.tif 000004
【図３】
0003230448.tif 000005
【図４】
0003230448.tif 000006
【図５】
0003230448.tif 000007
【図６】
0003230448.tif 000008